(57)【特許請求の範囲】
【請求項１】
昇降動作可能な演出部材と、該演出部材に連結されたアームと、該アームを駆動可能な回転板と、該回転板を回転駆動する電動モータと、前記回転板の回転位置を検出するための検出スイッチとを備える遊技盤における役物機構であって、
前記アームが、後端部を押下げた際に先端部を上昇させるように、回動可能に取着されて、
定常状態では、前記回転板が前記アームの後端部を押下げ、該アームの先端部を上限位置に維持することにより前記演出部材を所定の上昇位置に保持し、
前記定常状態から前記電動モータを回転させると、前記回転板の回転により該回転板と前記アームとの係合状態が一時的に解除され、前記演出部材はその自重によって所定の下降位置まで落下し、
その後、回転中の回転板は前記アームと再び係合を開始し、該回転板が該アームの後端部を押下げてゆくことにより該アームが回動し、該アームの先端部が上昇して前記演出部材は前記所定の上昇位置まで上昇し、
前記演出部材が前記所定の上昇位置に達したとき、前記検出スイッチは前記回転板が所定の回転位置まで回転したことを検出して検出信号を出力し、前記電動モータは該検出信号に基づいて回転を停止し、前記定常状態に戻る
ことを特徴とする遊技盤における役物機構。
【発明の詳細な説明】
【技術分野】
【０００１】
本発明は、パチンコ遊技機の遊技盤における役物機構に関する。
【背景技術】
【０００２】
パチンコ遊技機において、遊技盤の中央部で演出動作を行う可動部材つまり演出部材を上下動させる役物機構として、電磁ソレノイドとリターンばねなどを用い、リターンばねのばね力によって演出部材を上昇位置に保持すると共に、電磁ソレノイドの磁力によって演出部材を下降位置まで変位させる役物機構、あるいは、電動モータとギヤとラックなどを用い、電動モータの回転運動を直線運動に変換することによって演出部材を上下動させる役物機構が知られている。
【発明の開示】
【発明が解決しようとする課題】
【０００３】
しかし、演出部材を定常時は遊技者から見えない格納状態にしておき、スーパーリーチなど特定の遊技状態が発生したときのみ演出部材を遊技者に見える露出状態（演出状態）にする場合、演出部材を格納状態から露出状態へ、あるいは、露出状態から格納状態へと変位させるためには、演出部材に対して大きなストローク量（変位量）が要求される。
【０００４】
このような演出を電磁ソレノイド等を用いた役物機構で行う場合、図８（A）に示す演出部材５の格納時にアーム１３の後端部１４を下方へ押し付けているリターンばねとして大きなばね力を有するリターンばね５０が求められ、また、リターンばね５０の大きなばね力に抗して図８（A）に示す演出部材５の格納状態から図８（B）に示す演出部材５の露出状態まで比較的大きなストローク量で演出部材を変位させるためには大型の電磁ソレノイド５１が求められ、電磁ソレノイド５１の設置スペースが大きくなる。
【０００５】
また、同様の演出を電動モータ等を用いた役物機構で行う場合、ラックとギヤは常時噛み合った状態にあるため、演出部材の変位速度に限界があり、演出部材を瞬時に変位させることができない。
【０００６】
本発明は、上記のような従来技術の問題点を解決し、狭い設置スペースで済み、しかも、演出部材を瞬時に変位させることが可能な役物機構を提供することを目的とする。
【課題を解決するための手段】
【０００７】
本発明による遊技盤の役物機構は、昇降動作可能な演出部材と、該演出部材に連結されたアームと、該アームを駆動可能な回転板と、該回転板を回転駆動する電動モータと、前記回転板の回転位置を検出するための検出スイッチとを備える遊技盤における役物機構であって、前記アームが、後端部を押下げた際に先端部を上昇させるように、回動可能に取着されて、定常状態では、前記回転板が前記アームの後端部を押下げ、該アームの先端部を上限位置に維持することにより前記演出部材を所定の上昇位置に保持し、前記定常状態から前記電動モータを回転させると、前記回転板の回転により該回転板と前記アームとの係合状態が一時的に解除され、前記演出部材はその自重によって所定の下降位置まで落下し、その後、回転中の回転板は前記アームと再び係合を開始し、該回転板が該アームの後端部を押下げてゆくことにより該アームが回動し、該アームの先端部が上昇して前記演出部材は前記所定の上昇位置まで上昇し、前記演出部材が前記所定の上昇位置に達したとき、前記検出スイッチは前記回転板が所定の回転位置まで回転したことを検出して検出信号を出力し、前記電動モータは該検出信号に基づいて回転を停止し、前記定常状態に戻ることを特徴とする。
【０００８】
本発明によると、動力源として電磁ソレノイドを用いないで電動モータを用いたため、演出部材に対して大きなストローク量（変位量）が要求される場合であっても動力源の設置スペースの縮小を図ることが可能となる。また、演出部材の自重を利用して演出部材を落下させるようにしたため、演出部材を瞬時に下降位置まで落下させることができ、演出効果を高めることができる。
【発明を実施するための最良の形態】
【０００９】
以下、本発明の実施形態を図面に基づいて説明する。
【００１０】
図１は、本発明の一実施形態に係る役物機構が搭載された遊技盤の正面図であって演出部材が格納状態にあるときの正面図、図２は、同遊技盤の正面図であって演出部材が露出状態にあるときの正面図、図３は、演出部材が格納状態にあるときの役物機構の斜視図、図４は、図３図示の役物機構の部分断面図、図５は、演出部材が露出状態にあるときの役物機構の斜視図、図６は、図５図示の役物機構の部分断面図、図７は、検出スイッチの動作説明図をそれぞれ示す。
【００１１】
図１〜図７において、遊技盤１は、遊技領域２の中央部に図柄表示装置の表示画面３を備える。表示画面３の上方には、表示画面３よりも前方（手前側）に突出して目隠し板４が配設されている。定常時、図１に示すように、目隠し板４の奥に演出部材５が配置されており、演出部材５は遊技者から見えない格納状態にある。演出時、図２に示すように、演出部材５が目隠し板４の奥から表示画面３の前まで落下し、遊技者から見える状態になる。
【００１２】
役物機構６は、図３〜図７に示すように、電動モータ例えばステップモータ７を動力源として備える。電動モータ７の出力軸には、駆動ギヤ８が配設されており、この駆動ギヤ８に従動ギヤ９が噛み合っている。
【００１３】
従動ギヤ９には、この従動ギヤ９の回転軸と同一の回転軸回りに回転可能な回転板１０が設けられている。回転板１０は、周方向に１８０°の位相差をもって半径方向へ突出した一対の操作片（押下作動片）１１，１２を回転軸方向に２組備える。これらの操作片１１，１２は、アーム１３の後端部（押下受部）１４と係合可能とされている。
【００１４】
アーム１３は、互いに平行な一対のレバー部１５を備え、この一対のレバー部１５は、ベース部材１６に配設された回動軸１７に、回動し得るよう取着されている。一対のレバー部１５の先端部つまりアーム１３の先端部１８には、各々長溝１９が形成されており、これらの長溝１９に、横バー２０が摺動し得るよう装着されている。横バー２０には、演出部材５のスライド部２１が延設されている。
【００１５】
スライド部２１は、ベース部材１６の鉛直方向に延びたガイド部２２（図５）と係合状態にあり、ガイド部２２に案内されて鉛直方向へ移動可能、つまり、昇降可能とされている。ガイド部２２の下端には、スライド部２１の下降位置を規制するためのストッパー部（図示せず）が設けられている。スライド部２１の下端には、演出効果を発揮する、演出部材５の本体部２３が延設されている。
【００１６】
また、回転板１０の周辺には、回転板１０の所定の回転位置を検出するための検出スイッチ２４が配置されている。検出スイッチ２４は、例えば光電スイッチにより構成される。検出スイッチ２４は、回転板１０に設けられた切欠部１０aを検出したとき、検出信号を図示しない制御基板に出力する。この切欠部１０aは、演出部材５が上昇位置に達したとき検出スイッチ２４によって検出される位置に形成されている（図７（A）,（B）参照）。
【００１７】
次に、上記のように構成された役物機構６の動作を説明する。
【００１８】
演出部材５が格納状態にあるとき、役物機構６は図３及び図４に示す状態にある。つまり、定常状態においては、電動モータ７は停止状態にあり、回転板１０の一対の操作片１１はアーム１３の後端部１４を押下し、アーム１３の先端部１８は上限位置にあり、演出部材５の本体部２３は上昇位置に保持されている。
【００１９】
この演出部材５の格納状態から、スーパーリーチなど特定の遊技状態が発生すると、電動モータ７は回転を開始し、回転板１０は図４図示矢印の方向へ回転する。この回転板１０の回転に伴い、回転板１０の一対の操作片１１とアーム１３の後端部１４との係合状態が解かれ、演出部材５は自重により下降位置まで瞬時に降下し、図５及び図７（A）図示の露出状態（演出状態）になる。
【００２０】
その後、回転板１０の他の一対の操作片１２は、上端位置にあるアーム１３の後端部１４と係合を始め（図７（A）図示の状態に対応する。）、アーム後端部１４は上記一対の操作片１２により押下されてゆく。このため、アーム１３の先端部１８は上昇し、演出部材５は上昇してゆき、演出部材５が上昇位置に達したとき、つまり、演出部材５が図３及び図４に図示する格納状態になったとき、電動モータ７は回転を停止する。この電動モータ７の回転停止のタイミングは、図７（B）に示すように、検出スイッチ２４が回転板１０の所定の回転位置つまり切欠部１０aを検出したときである。検出スイッチ２４が回転板１０の切欠部１０aを検出すると、この検出信号が制御基板に入力され、制御基板から電動モータ７に回転停止指示がなされ、電動モータ７は回転を停止する。このとき、演出部材５は上昇位置にあり、この上昇位置に保持される。
【００２１】
以上説明したように、本実施形態に係る役物機構６は、昇降動作可能な演出部材５と、演出部材５に連結されたアーム１３と、アーム１３を駆動可能な回転板１０と、回転板１０を回転駆動する電動モータ７と、回転板１０の回転位置を検出するための検出スイッチ２４とを備える遊技盤１における役物機構であって、定常状態では、回転板１０がアーム１３の後端部１４を押下げ、アーム１３の先端部１８を上限位置に維持することにより演出部材５を所定の上昇位置に保持し、定常状態から電動モータ７を回転させると、回転板１０の回転により回転板１０とアーム１３との係合状態が一時的に解除され、演出部材５はその自重によって所定の下降位置まで落下し、その後、回転中の回転板１０はアーム１３と再び係合を開始し、回転板１０がアーム１３の後端部１４を押下げてゆくことにより、アーム１３の先端部１８が上昇して演出部材５は所定の上昇位置まで上昇し、演出部材５が所定の上昇位置に達したとき、検出スイッチ２４は回転板１０の切欠部１０aを検出することによって回転板１０が所定の回転位置まで回転したことを検出し、検出信号を出力し、電動モータ７は検出信号に基づいて回転を停止し、定常状態に戻る。
【００２２】
本実施形態によると、動力源として電磁ソレノイドを用いないで電動モータ７を用いたため、演出部材５に対して大きなストローク量（変位量）が要求される場合であっても動力源の設置スペースの縮小を図ることが可能となる。また、演出部材５の自重を利用して演出部材５を落下させるようにしたため、演出部材５を瞬時に下降位置まで落下させることができ、演出効果を高めることができる。
【図面の簡単な説明】
【００２３】
【図１】本発明の一実施形態に係る役物機構が搭載された遊技盤の正面図であって演出部材が格納状態にあるときの正面図である。
【図２】同遊技盤の正面図であって演出部材が露出状態にあるときの正面図である。
【図３】演出部材が格納状態にあるときの役物機構の斜視図である。
【図４】図３図示の役物機構の部分断面図である。
【図５】演出部材が露出状態にあるときの役物機構の斜視図である。
【図６】図５図示の役物機構の部分断面図である。
【図７】検出スイッチの動作説明図であり、図７（A）は、演出部材が下降位置から上昇を開始するときの回転板と検出スイッチとの位置関係を表した図、図７（B）は、演出部材が上昇位置に達したときの回転板と検出スイッチとの位置関係を表した図である。
【図８】従来例に係る役物機構の構成図である。
【符号の説明】
【００２４】
１    遊技盤
５    演出部材
６    役物機構
７    電動モータ
１０    回転板
１３    アーム
１４    アームの後端部
１８    アームの先端部
２４    検出スイッチ
【図１】
0004813108.tif 000002
【図２】
0004813108.tif 000003
【図３】
0004813108.tif 000004
【図４】
0004813108.tif 000005
【図５】
0004813108.tif 000006
【図６】
0004813108.tif 000007
【図７】
0004813108.tif 000008
【図８】
0004813108.tif 000009